Podtech/llm-jp-corpus-v4-ja_patent huggingface dataset:
【手続補正書】
【提出日】平成21年5月22日(2009.5.22)
【手続補正１】
【補正対象書類名】特許請求の範囲
【補正対象項目名】全文
【補正方法】変更
【補正の内容】
【特許請求の範囲】
【請求項１】
miRNA配列標的および必要に応じてトランスジーンを含む遺伝子操作における使用のための遺伝子ベクター。
【請求項２】
治療における使用のためのmiRNA配列標的を含む遺伝子ベクター。
【請求項３】
非ウイルス遺伝子ベクターの形態である、請求項１または２に記載の遺伝子ベクター。
【請求項４】
非ウイルス遺伝子ベクターが、miRNA配列標的および必要に応じて少なくとも1個のトランスジーンを含む発現ベクターまたはプラスミドを含む、請求項３に記載の遺伝子ベクター。
【請求項５】
miRNA配列標的を含むウイルスベクターの形態である、請求項１または２に記載の遺伝子ベクター。
【請求項６】
ゲノムがmiRNA配列標的を含む、前記ウイルスベクターのゲノム(RNAまたはDNA)を含む請求項５に記載の遺伝子ベクター。
【請求項７】
ゲノムが、miRNA配列標的に機能し得る形で連結された少なくとも1個のトランスジーンを含む、ウイルスベクターのゲノムを含む請求項６に記載の遺伝子ベクター。
【請求項８】
ウイルスベクターが、レトロウイルス、レンチウイルス、アデノウイルス、アデノ随伴ウイルス、単純ヘルペスウイルス、ピコルナウイルス、およびアルファウイルスの群から選択される、請求項５〜７のいずれか１項に記載の遺伝子ベクター。
【請求項９】
ウイルスベクターがレンチウイルスから誘導可能である、請求項５〜７のいずれか１項に記載の遺伝子ベクター。
【請求項１０】
ウイルスベクターがウイルスベクター粒子の形態である、請求項５〜８のいずれか１項に記載の遺伝子ベクター。
【請求項１１】
miRNA配列標的が、標的細胞中のウイルスベクターの発現を制御する、請求項１〜１０のいずれか１項に記載の遺伝子ベクター。
【請求項１２】
必要に応じて直列配向および/または必要に応じて異なる配向の、同じであっても異なっていてもよい2つ以上のmiRNA配列標的を含む、請求項１〜１１のいずれか１項に記載の遺伝子ベクター。
【請求項１３】
miRNA配列標的が、has-mir-142as(has-mir-142-3pとも呼ばれる) miRNA、let-7a、mir-15a、mir-16、mir-17-5p、mir-19、mir-142-5p、mir-145および／またはmir-218 miRNAにより標的化されるものである、請求項１〜１２のいずれか１項に記載の遺伝子ベクター。
【請求項１４】
好適な治療遺伝子をコードするトランスジーンが、腫瘍抑制タンパク質、酵素、プロドラッグ活性化酵素、免疫調節分子、抗体、操作された免疫グロブリン様分子、融合タンパク質、ホルモン、膜タンパク質、血管作用タンパク質もしくはペプチド、サイトカイン、ケモカイン、抗ウイルスタンパク質、アンチセンスRNAおよびリボザイムをコードするトランスジーンを含む、請求項１〜１３のいずれか１項に記載の遺伝子ベクター。
【請求項１５】
ベクターが組織特異的プロモーターを含む、請求項１〜１４のいずれか１項に記載の遺伝子ベクター。
【請求項１６】
miRNA配列標的、および必要に応じてトランスジーンを含むパッケージング可能なウイルスベクターゲノムをコードするDNA構築物を含むウイルスベクター粒子を製造するためのDNA構築物のセット。
【請求項１７】
請求項１６に記載のDNA構築物のセットを宿主細胞に導入し、ウイルスベクター粒子を取得することを含む、ウイルスベクター粒子を調製する方法。
【請求項１８】
宿主細胞が対応するmiRNAを含む、請求項１７に記載の方法。
【請求項１９】
請求項１７または１８に記載の方法により製造されたウイルスベクター粒子。
【請求項２０】
請求項１〜１５または１９のいずれか１項に記載の遺伝子ベクターまたは粒子を含む医薬組成物。
【請求項２１】
請求項１〜１５または１９のいずれか１項に記載の遺伝子ベクターまたは粒子を用いて感染または形質導入された細胞。
【請求項２２】
造血細胞、腎臓細胞、神経細胞、肺細胞、肝臓細胞、脾臓細胞、心臓細胞、腫瘍細胞または胚性幹細胞である、請求項２１に記載の細胞。
【請求項２３】
対応するmiRNAを含む細胞中のトランスジーンの発現を防止するか、または減少させるための、miRNA標的配列に機能し得る形で連結されたトランスジーンを含む、請求項１〜１５のいずれか１項に記載のベクターの、請求項１９に記載の粒子のまたは請求項２０に記載の医薬組成物の、使用。
【請求項２４】
遺伝子治療における使用のために対応するmiRNAを含む細胞中のトランスジーンの発現を防止するか、または減少させるための、miRNA標的配列に機能し得る形で連結されたトランスジーンを含む、請求項１〜１５のいずれか１項に記載の遺伝子ベクター、請求項１９に記載の粒子または請求項２０に記載の医薬組成物。
【請求項２５】
miRNA標的配列に機能し得る形で連結されたトランスジーンを含む、請求項１〜１５のいずれか１項に記載の遺伝子ベクター、請求項１９に記載の粒子または請求項２０に記載の医薬組成物の、癌治療用の医薬の製造のための使用。
【請求項２６】
miRNA標的配列に機能し得る形で連結されたトランスジーンを含む、請求項１〜１５のいずれか１項に記載の遺伝子ベクター、請求項１９に記載の粒子または請求項２０に記載の医薬組成物の、血友病治療用の医薬の製造のための使用。
【請求項２７】
miRNA標的配列に機能し得る形で連結されたトランスジーンを含む、請求項１〜１５のいずれか１項に記載の遺伝子ベクター、請求項１９に記載の粒子または請求項２０に記載の医薬組成物の、導入された遺伝子の免疫介在性拒絶の予防用の医薬の製造のための使用。
【請求項２８】
導入された遺伝子の免疫介在性拒絶の予防用の医薬の製造のための、請求項１〜１５のいずれか１項に記載の遺伝子ベクター、請求項１９に記載の粒子または請求項２０に記載の医薬組成物の使用。
【請求項２９】
循環抗原に対する免疫応答の予防用の医薬の製造のための、請求項１〜１５のいずれか１項に記載の遺伝子ベクター、請求項１９に記載の粒子または請求項２０に記載の医薬組成物の使用。
【請求項３０】
癌、神経疾患、遺伝病、心疾患、卒中、関節炎、ウイルス感染および免疫系の疾患から選択される疾患の治療用の医薬の製造のための、請求項１〜１５のいずれか１項に記載の遺伝子ベクター、請求項１９に記載の粒子または請求項２０に記載の医薬組成物の使用。
【請求項３１】
遺伝子治療用の医薬の製造のための、請求項１〜１５のいずれか１項に記載の遺伝子ベクター、請求項１９に記載の粒子または請求項２０に記載の医薬組成物の使用。
【請求項３２】
治療用途に使用するための、miRNA標的配列の使用。
【請求項３３】
治療用途が、対応する内因性miRNAを用いて遺伝子を調節することを含む、請求項３２に記載の使用。
【手続補正書】
【提出日】平成21年5月20日(2009.5.20)
【手続補正１】
【補正対象書類名】特許請求の範囲
【補正対象項目名】全文
【補正方法】変更
【補正の内容】
【特許請求の範囲】
【請求項１】
自己集合化によってＶＬＰを形成することができるバクテリオファージの組み換えキャプシドタンパク質又はその変異体ないしはその断片の発現方法であって、このとき該バクテリオファージがＲＮＡバクテリオファージであり、
a) 発現プラスミドを細菌宿主に導入する工程であって、このとき、該発現プラスミドは発現コンストラクトを含んでなり、該発現コンストラクトは(i) 該組み換えキャプシドタンパク質又はその変異体ないしはその断片をコードする第一ヌクレオチド配列と、(ii) ラクトースによって誘導可能なプロモーターとを含んでなるものである工程、
b) グルコース又はグリセロールである主要な炭素源を含んでなる培地中で該細菌宿主を培養する工程であって、このとき、該培養がバッチ式培養で、該プロモーターがｌａｃＩによって抑制される条件下で行われ、該ｌａｃＩが該細菌宿主によって過剰発現されるものである工程、
c) 該バッチ培養物に該主要な炭素源を与える工程、そして、
d) 誘導因子により該プロモーターを誘導する工程であって、このとき該バッチ培養物への該主要な炭素源の供給を続けるものである工程
を含んでなる方法。
【請求項２】
前記バクテリオファージが、
a) バクテリオファージＱβ； 
b) バクテリオファージＡＰ２０５； 
c) バクテリオファージｆｒ； 
d) バクテリオファージＧＡ； 
e) バクテリオファージＳＰ； 
f) バクテリオファージＭＳ２； 
g) バクテリオファージＭ１１； 
h) バクテリオファージＭＸ１； 
i) バクテリオファージＮＬ９５； 
j) バクテリオファージｆ２； 
k) バクテリオファージＰＰ７、及び、 
l) バクテリオファージＲ１７
からなる群から選択される、請求項１に記載の方法。
【請求項３】
前記ＲＮＡバクテリオファージがＡＰ２０５である、請求項１に記載の方法。
【請求項４】
前記ＲＮＡバクテリオファージがＱβである、請求項１に記載の方法。
【請求項５】
前記組み換えキャプシドタンパク質が配列番号：５のアミノ酸配列を有する、請求項４に記載の方法。
【請求項６】
前記発現コンストラクトが第一ヌクレオチド配列と第二ヌクレオチド配列を含んでなり、該第一ヌクレオチド配列がＱβ ＣＰ又はその変異体ないしはその断片をコードしており、該第二ヌクレオチド配列がＱβ Ａ１タンパク質又はその変異体ないしはその断片をコードしており、該第一及び該第二のヌクレオチド配列が少なくとも１つのＴＡＡ停止コドンを含んでなるまさに１つの配列範囲によって切り離されており、好ましくは該発現コンストラクトが配列番号：６のヌクレオチド配列を含んでなるか、あるいは配列番号：６のヌクレオチド配列からなり、さらに好ましくは該発現プラスミドが配列番号：１のヌクレオチド配列を含んでなるか、好ましくは配列番号：１のヌクレオチド配列からなる、請求項１に記載の方法。
【請求項７】
前記プロモーターは、
a) ｔａｃプロモーター； 
b) ｔｒｃプロモーター；
c) ｔｉｃプロモーター；
d) ｌａｃプロモーター；
e) ｌａｃＵＶ５プロモーター；
f) Ｐｓｙｎプロモーター；
g) ｌｐｐａプロモーター；
h) ｌｐｐ-ｌａｃプロモーター；
i) Ｔ７-ｌａｃプロモーター；
j) Ｔ３-ｌａｃプロモーター；
k) Ｔ５-ｌａｃプロモーター；及び、
l) 配列番号：２に少なくとも５０％の配列相同性を有するプロモーターであって、好ましくは該プロモーターが配列番号：２のヌクレオチド配列を含んでなるプロモーター
からなる群から選択される、請求項１から６の何れか一に記載の方法。
【請求項８】
前記主要な炭素源がグリセロールであり、好ましくは前記のバッチ培養物への供給がある流速で行われ、該流速が指数係数μで増加し、さらに好ましくは該指数係数μがμｍａｘより小さいものである、請求項１から７の何れか一に記載の方法。
【請求項９】
前記プロモーターの誘導が、前記バッチ培養物に前記誘導因子と前記主要な炭素源が一定流速又は漸増流速でともに供給されることによって行われる、請求項１から８の何れか一に記載の方法。
【請求項１０】
前記誘導因子がＩＰＴＧである、請求項１から９の何れか一に記載の方法。
【請求項１１】
前記誘導因子がラクトースである、請求項１から９の何れか一に記載の方法。
【請求項１２】
前記誘導因子がラクトースであって、該ラクトースと前記主要な炭素源がおよそ２：１から１：４(w/w)の比率で前記バッチ培養物にともに供給される、請求項９に記載の方法。
【請求項１３】
前記ｌａｃＩが前記細菌宿主によって過剰発現され、該過剰発現がｌａｃＩｑ又はｌａｃＱ１、好ましくはｌａｃＩｑによって起こる、請求項１から１２の何れか一に記載の方法。
【請求項１４】
前記誘導因子がラクトースであり、前記細菌宿主がβ-ガラクトシダーゼ活性を含んでなる、請求項１から９及び１１から１３の何れか一に記載の方法。
【請求項１５】
前記バッチ培養物の培養及び供給と前記プロモーターの誘導が、前記細菌宿主の最適増殖温度より低い温度で行われ、好ましくは該温度が２７と３２℃の間であり、より好ましくは２８と３１℃の間であり、最も好ましくは該温度が３０℃である、請求項１から１４の何れか一に記載の方法。
【請求項１６】
a) 前記発現プラスミドが配列番号：１のヌクレオチド配列を含んでなるか、好ましくは配列番号：１のヌクレオチド配列からなる、
b) 前記主要な炭素源がグリセロールである、
c) 前記のバッチ培養物への供給がある流速で行われ、該流速が指数係数μで増加し、好ましくは該指数係数μがμｍａｘより小さいものである、
d) 前記誘導因子がラクトースである、
e) そして、該ラクトースと該主要な炭素源が２：１から１：４(w/w)、好ましくは１：１から１：３(w/w)、最も好ましくは１：３(w/w)の比率で前記バッチ培養物にともに供給される、
f) 前記細菌宿主が大腸菌ＲＢ７９１である、そして、
g) 前記バッチ培養物の培養及び供給と前記プロモーターの誘導がおよそ３０℃の温度で実施される、
請求項９に記載の方法。
【請求項１７】
a) 前記発現プラスミドが配列番号：３０のヌクレオチド配列を含んでなるか、好ましくは配列番号：３０のヌクレオチド配列からなる、
b) 前記主要な炭素源がグリセロールである、
c) 前記のバッチ培養物への供給がある流速で行われ、該流速が指数係数μで増加し、好ましくは該指数係数μがμｍａｘより小さいものである、
d) 前記誘導因子がラクトースである、
e) 該ラクトースと該主要な炭素源が２：１から１：４(w/w)、好ましくは１：１から１：３(w/w)、最も好ましくは１：３(w/w)の比率で前記バッチ培養物にともに供給される、
f) 前記細菌宿主が大腸菌ＲＢ７９１である、そして、
g) 前記バッチ培養物の培養及び供給と前記プロモーターの誘導がおよそ３０℃の温度で実施される、
請求項１に記載の方法。
【手続補正書】
【提出日】平成21年5月19日(2009.5.19)
【手続補正１】
【補正対象書類名】特許請求の範囲
【補正対象項目名】全文
【補正方法】変更
【補正の内容】
【特許請求の範囲】
【請求項１】
ＣＤ４、ｇｐ１２０、ＩＣＡＭ−３、およびＤＣ−ＳＩＧＮからなる群より選択される１以上の標的に結合することが可能である、配列番号１の残基３６〜１２８、配列番号１の残基３６〜８８、および配列番号１の残基８８〜１１３からなる群より選択されるアミノ酸配列からなる単離ペプチド。
【請求項２】
シュードアズリン、プラストシアニン、ラスチシアニン、Ｌａｚおよびオーラシアニンからなる群より選択されるキュプレドキシンを含んでなる、請求項１に記載の単離ペプチド。
【請求項３】
前記キュプレドキシンはＬａｚである、請求項２に記載の単離ペプチド。
【請求項４】
前記キュプレドキシンは、アルカリ糞便菌(Alcaligenes faecalis)、アクロモバクター・キシロソキシダンス(Achromobacter xylosoxidans)、気管支敗血症菌(Bordetella bronchiseptica)、メチロモナス属(Methylomonas sp.)、髄膜炎菌(Neisseria meningitidis)、淋菌(Neisseria gonorrhea)、蛍光菌(Pseudomonas fluorescens)、シュードモナス・クロロラフィス(Pseudomonas chlororaphis)、ブドウピアス病菌(Xylella fastidiosa)、および腸炎ビブリオ(Vibrio parahaemolyticus)からなる群より選択される生物体に由来する、請求項２に記載の単離ペプチド。
【請求項５】
淋菌に由来する、請求項４に記載の単離ペプチド。
【請求項６】
配列番号１の残基３６〜１２８に対して少なくとも９０％のアミノ酸配列同一性を有する配列からなる、請求項１に記載の単離ペプチド。
【請求項７】
配列番号１の残基３６〜１２８からなる、請求項１に記載の単離ペプチド。
【請求項８】
医薬組成物中に少なくとも１の請求項１に記載のペプチドを含んでなる組成物。
【請求項９】
前記医薬組成物は静脈内投与のために構築される、請求項８に記載の組成物。
【請求項１０】
請求項１に記載のペプチドは、アルカリ糞便菌(Alcaligenes faecalis)、アクロモバクター・キシロソキシダンス(Achromobacter xylosoxidans)、気管支敗血症菌(Bordetella bronchiseptica)、メチロモナス属(Methylomonas sp.)、髄膜炎菌(Neisseria meningitidis)、淋菌(Neisseria gonorrhea)、蛍光菌(Pseudomonas fluorescens)、シュードモナス・クロロラフィス(Pseudomonas chlororaphis)、ブドウピアス病菌(Xylella fastidiosa)、および腸炎ビブリオ(Vibrio parahaemolyticus)からなる群より選択される生物体に由来するキュプレドキシンを含んでなる、請求項８に記載の組成物。
【請求項１１】
前記キュプレドキシンは緑膿菌または淋菌に由来する、請求項１０に記載の組成物。
【請求項１２】
請求項８に記載の組成物の治療的に有効な量を患者に投与することを含んでなる、ＨＩＶ−１に感染した患者を治療する方法。
【請求項１３】
前記患者はヒトである、請求項１２に記載の方法。
【請求項１４】
前記組成物は、静脈内注射、筋肉内注射、皮下注射、吸入、局所的な投与、経皮パッチ、坐剤、および経口投与からなる群より選択される方法により投与される、請求項１２に記載の方法。
【請求項１５】
前記投与方法が静脈内注射による、請求項１４に記載の方法。
【請求項１６】
前記組成物は、他の抗ＨＩＶ薬の投与後０分〜１週以内に投与される、請求項１２に記載の方法。
【請求項１７】
前記組成物は他の抗ＨＩＶ薬とほぼ同時に投与される、請求項１６に記載の方法。
【請求項１８】
バイアル中の請求項８に記載の組成物を含んでなるキット。
【請求項１９】
前記キットは静脈内投与のために設計される、請求項１８に記載のキット。
【請求項２０】
配列番号１の残基３６〜１２８からなる単離ペプチドであって、同じ１以上の標的に対するｇｐ１２０の親和性以上の親和性を有するＣＤ４、ＩＣＡＭ−３、およびＤＣ−ＳＩＧＮからなる群より選択される１以上の標的に結合することができる単離ペプチド。
【請求項２１】
前記配列番号１の残基３６〜１２８が配列番号１８と融合した、請求項７に記載の単離ペプチド。
【請求項２２】
アミド化、アセチル化、硫酸化、ポリエチレングリコール（ＰＥＧ）修飾、リン酸化またはグリコシル化により化学的に修飾された、請求項１に記載の単離ペプチド。
【請求項２３】
薬物分子、治療剤、医薬、他のペプチド、または検出可能なプローブと融合した、請求項１に記載の単離ペプチド。
【請求項２４】
ＣＤ４、ｇｐ１２０、ＩＣＡＭ−３、およびＤＣ−ＳＩＧＮからなる群より選択される１以上の標的に結合することが可能である、配列番号１の残基３６〜１２８、配列番号１の残基３６〜８８、および配列番号１の残基８８〜１１３からなる群より選択されるアミノ酸配列からなる単離ペプチドと哺乳動物細胞を接触させることと；
前記哺乳動物細胞を細菌またはウイルスと接触させることと；
前記細菌またはウイルスの感染の増殖を測定することと
を含んでなる方法。
【請求項２５】
前記細胞を単離ペプチドと接触させるステップは、前記細胞を細菌またはウイルスと接触させるステップの前に行う、請求項２４に記載の方法。
【請求項２６】
前記細胞を単離ペプチドと接触させるステップは、前記細胞を細菌またはウイルスと接触させるステップの後に行う、請求項２４に記載の方法。
【請求項２７】
前記細胞はヒト細胞である、請求項２４に記載の方法。
【請求項２８】
前記細胞は、リンパ腫細胞および末梢血単核細胞からなる群より選択される、請求項２４に記載の方法。
【請求項２９】
前記ウイルスまたは細菌は、HIV-1、ヘルペス単純ウイルス(HSV)、エボラウイルス、サイトメガロウイルス(CMV)、パラインフルエンザウイルスA型、B型、およびC型、肝炎ウイルスA型、B型、C型、およびG型、デルタ肝炎ウイルス(HDV)、流行性耳下腺炎ウイルス、はしかウイルス、呼吸器合胞体ウイルス、ブニヤウイルス、アレナウイルス、ドーリウイルス、ポリオウイルス、風疹ウイルス、デング熱ウイルス、SIV、および結核菌からなる群より選択される、請求項２４に記載の方法。
【請求項３０】
前記ウイルスはＨＩＶ−１である、請求項２９に記載の方法。
【手続補正書】
【提出日】平成21年5月7日(2009.5.7)
【手続補正１】
【補正対象書類名】特許請求の範囲
【補正対象項目名】全文
【補正方法】変更
【補正の内容】
【特許請求の範囲】
【請求項１】
ポリペプチドが抗ウイルス活性を示す、以下の配列番号から選択される配列とは０〜８個の位置のアミノ酸が異なる配列を含む単離または組換えポリペプチド；配列番号３１２；配列番号２６２；配列番号２６６；配列番号２３２；配列番号８８；配列番号２９７；配列番号１６７；配列番号１０７；配列番号２０８；配列番号９４；配列番号１４１；配列番号４６；配列番号１７１；配列番号３１０；配列番号１７６；配列番号２６；配列番号８９；配列番号２９６；配列番号１４８；配列番号１８；配列番号１０；配列番号８７；配列番号１０３；配列番号２３４；配列番号３０；配列番号１７９；配列番号２；配列番号２６０；配列番号３０６；配列番号１４０；配列番号１２７；配列番号２９３；配列番号１９５；配列番号１９１；配列番号２６３；配列番号１；配列番号２９８；配列番号２４；配列番号２５８；配列番号１２４；配列番号７；配列番号９；配列番号３０３；および配列番号６。
【請求項２】
請求項１記載のポリペプチドであつて、前記ポリペプチドの前記抗ウイルス活性が、ＨｅＬａ／ＥＭＣＶ抗ウイルスアッセイにおいてｈｕＩＦＮα２ｂまたはｈｕＩＦＮα２ａの抗ウイルス活性の少なくとも２倍大きい、ポリペプチド。
【請求項３】
（ａ）請求項１記載のポリペプチド；および
（ｂ）前記ポリペプチドに共有結合した非ポリペプチド部分、
を含む複合体。
【請求項４】
リジン残基またはＮ末端アミノ基と共有結合している非ポリペプチド部分を含む、請求項３記載の複合体。
【請求項５】
前記非ポリペプチド部分がポリエチレングリコールである、請求項３記載の複合体。
【請求項６】
請求項３記載のポリペプチドおよび医薬的に許容され得る賦形剤を含む組成物。
【請求項７】
請求項１記載のポリペプチドをコードする核酸配列を含む単離または組換えポリヌクレオチド。
【請求項８】
請求項７記載のポリヌクレオチドを含む宿主細胞。
【請求項９】
請求項７記載のポリヌクレオチドを含むベクター。
【請求項１０】
プロモーターに機能的に連結した前記ポリヌクレオチドを含む発現ベクターである、請求項９記載のベクター。
【請求項１１】
請求項９記載のベクターを含む宿主細胞。
【請求項１２】
請求項１記載のポリペプチドの調製方法であって、前記方法には：
宿主細胞を含む培養物を提供することにおいて、前記宿主細胞はポリヌクレオチドに機能的に連結しているプロモーターを含む発現ベクターを含み、前記ポリヌクレオチドは前記ポリペプチドをコードする核酸配列を含み、
前記ポリペプチドの発現を可能にする条件下で前記培養物を培養すること、
および前記ポリペプチドを回収すること、が含まれる方法。
【請求項１３】
複合体の調製方法であって、
（ｉ）請求項１記載のポリペプチドを提供する工程、ここで、該ポリペプチドを提供する工程は、
宿主細胞を含む培養物を提供することであって、前記宿主細胞はポリヌクレオチドに機能的に連結しているプロモーターを含む発現ベクターを含み、前記ポリヌクレオチドは前記ポリペプチドをコードする核酸配列を含むこと、
前記ポリペプチドの発現を可能にする条件下で前記培養物を培養すること、および
前記ポリペプチドを回収することを含み、および
（ｉｉ）少なくとも１つの非ポリペプチド部分をポリペプチドに結合させる工程、ここで、結果として得られる前記複合体は抗ウイルス活性を示す、
を含む方法。
【手続補正書】
【提出日】平成21年5月15日(2009.5.15)
【手続補正１】
【補正対象書類名】特許請求の範囲
【補正対象項目名】全文
【補正方法】変更
【補正の内容】
【特許請求の範囲】
【請求項１】
Ｎ−ループドメインがｉＴＡＣ由来である、非天然ＣＸＣＲ３ポリペプチド受容体リガンド。
【請求項２】
Ｎ−ループドメインを除く該ポリペプチド受容体リガンドが、天然アミノ酸配列を有する、請求項１に記載の非天然ＣＸＣＲ３ポリペプチド受容体リガンド。
【請求項３】
Ｎ−ループドメインを除く該ポリペプチド受容体リガンドが、天然アミノ酸配列および非天然アミノ酸配列を有しており、該非天然アミノ酸配列は、少なくとも一つ以上の天然アミノ酸を、異なるＣＸＣＲ３ポリペプチド受容体リガンドの相同部位由来アミノ酸と置換することにより生じた、請求項１に記載の非天然ＣＸＣＲ３ポリペプチド受容体リガンド。
【請求項４】
異なるＣＸＣＲ３ポリペプチド受容体リガンドの相同部位由来該アミノ酸が、コンセンサスアミノ酸残基である、請求項３に記載の非天然ＣＸＣＲ３ポリペプチド受容体リガンド。
【請求項５】
配列番号３、配列番号６、配列番号９、配列番号１０および配列番号１１の配列およびこれらのバリエーションよりなる群から選ばれる配列であって、１２〜１７以外の部位が、ｉＴＡＣ、ＩＰ−１０またはＭＩＧ  ＣＸＣＲ３ポリペプチドリガンドにおける相同部位由来アミノ酸に変化したものを含む、非天然ＣＸＣＲ３ポリペプチドリガンド。
【請求項６】
Ｎ−ループドメインがｉＴＡＣ由来である、非天然ＰＦ４  ＣＸＣＲ３ポリペプチド受容体リガンド。
【請求項７】
Ｎ−ループドメインを除く該ポリペプチド受容体リガンドが、ＰＦ４の天然アミノ酸配列を有している、請求項６に記載の非天然ＰＦ４  ＣＸＣＲ３ポリペプチド受容体リガンド。
【請求項８】
配列番号１３を含むポリペプチド配列を有する、請求項７に記載の非天然ＰＦ４  ＣＸＣＲ３ポリペプチド受容体リガンド。
【請求項９】
受容体リガンドが、リガンドの成熟型であり、Ｎ−末端メチオニンを含む、請求項１〜５のいずれかに記載の非天然ＣＸＣＲ３ポリペプチド受容体リガンド。
【請求項１０】
受容体リガンドが、リガンドの成熟型であり、Ｎ−末端メチオニンを含む、請求項６〜８のいずれかに記載の非天然ＰＦ４  ＣＸＣＲ３ポリペプチド受容体リガンド。
【請求項１１】
ポリペプチドの一つまたはそれ以上のアミノ酸が化学的に修飾されている、請求項１〜５または９のいずれかに記載の非天然ＣＸＣＲ３ポリペプチド受容体リガンド。
【請求項１２】
ポリペプチドの一つまたはそれ以上のアミノ酸が化学的に修飾されている、請求項６〜８または１０のいずれかに記載の非天然ＰＦ４  ＣＸＣＲ３ポリペプチド受容体リガンド。
【請求項１３】
非天然ＣＸＣＲ３ポリペプチド受容体リガンドが、ＰＥＧ付加により修飾されている、請求項１１に記載の非天然ＣＸＣＲ３ポリペプチド受容体リガンド。
【請求項１４】
非天然ＰＦ４  ＣＸＣＲ３ポリペプチド受容体リガンドが、ＰＥＧ付加により修飾されている、請求項１２に記載の非天然ＰＦ４  ＣＸＣＲ３ポリペプチド受容体リガンド。
【請求項１５】
非天然ＣＸＣＲ３ポリペプチド受容体リガンドが、融合ポリペプチドである、請求項１〜５、９または１１に記載の非天然ＣＸＣＲ３ポリペプチド受容体リガンド。
【請求項１６】
非天然ＰＦ４  ＣＸＣＲ３ポリペプチド受容体リガンドが、融合ポリペプチドである、請求項６〜８、１０または１２に記載の非天然ＰＦ４  ＣＸＣＲ３ポリペプチド受容体リガンド。
【請求項１７】
請求項１〜１６のいずれかに記載の非天然ＣＸＣＲ３ポリペプチド受容体リガンドをエンコードする配列を含むポリヌクレオチド。
【請求項１８】
促進剤に対して操作可能に連結されている、請求項１７のポリヌクレオチドを含む発現ベクター。
【請求項１９】
請求項１７のポリヌクレオチドを含むウィルス発現ベクター。
【請求項２０】
請求項１７または１８のポリヌクレオチドを含む宿主細胞。
【請求項２１】
請求項１８の発現ベクターを含む宿主細胞。
【請求項２２】
請求項２１の宿主細胞を非天然ＣＸＣＲ３リガンドが有利に産生される条件下で培養すること、ならびに、培地中で発現させた非天然ＣＸＣＲ３リガンドを単離することを含む、非天然ＣＸＣＲ３リガンドを製造する方法。
【請求項２３】
請求項１〜１６のいずれかに記載の非天然ＣＸＣＲ３リガンドに特異的に結合する抗体。
【請求項２４】
個人における線維症の治療または予防のための医薬組成物であって、請求項１〜１６のいずれかに記載の非天然ＣＸＣＲ３リガンドを含む、医薬組成物。
【請求項２５】
個人における線維症の治療または予防のための医薬組成物であって、請求項１〜１６のいずれかに記載の非天然ＣＸＣＲ３リガンドをコードするポリヌクレオチドを含む、医薬組成物。
【請求項２６】
非天然ＣＸＣＲ３リガンドをコードするポリヌクレオチドが、ウィルスベクター内に提供されるものである、請求項２５に記載の医薬組成物。
【請求項２７】
線維症が肺線維症である、請求項２４〜２６のいずれかに記載の医薬組成物。
【請求項２８】
肺線維症が特発性肺線維症である、請求項２７に記載の医薬組成物。
【請求項２９】
肺線維症が、既知の病因由来のものである、請求項２７に記載の医薬組成物。
【請求項３０】
線維症が、肝線維症、腎線維症、心線維症および強皮症から選択されるものである、請求項２７に記載の医薬組成物。
【請求項３１】
腫瘍を有する個人における腫瘍の成長を軽減する医薬組成物であって、請求項１〜１６のいずれかに記載の非天然ＣＸＣＲ３リガンドを含む、医薬組成物。
【請求項３２】
個人における腫瘍の成長を軽減する医薬組成物であって、請求項１〜１６のいずれかに記載の非天然ＣＸＣＲ３リガンドをエンコードするポリヌクレオチドを含む、医薬組成物。
【請求項３３】
非天然ＣＸＣＲ３リガンドをエンコードするポリヌクレオチドが、ウィルスベクター内に提供される、請求項３２に記載の医薬組成物。
【請求項３４】
アルキル化剤、ニトロソ尿素、代謝拮抗剤、抗腫瘍抗生物質、植物（ビンカ）アルカロイド、タキサンおよびステロイドホルモンから選択される抗腫瘍剤をさらに含む、請求項２４〜３３のいずれかに記載の医薬組成物。
【請求項３５】
個人がヒトである、請求項２４〜３４のいずれかに記載の医薬組成物。
【手続補正書】
【提出日】平成21年5月19日(2009.5.19)
【手続補正１】
【補正対象書類名】特許請求の範囲
【補正対象項目名】全文
【補正方法】変更
【補正の内容】
【特許請求の範囲】
【請求項１】
ロジックシステム及び当該ロジックシステムに含まれるプロセッサを備えたコンピューターにより実行される、増幅曲線を表すデータセットを処理する方法であって：
前記ロジックシステムがベースライン部分及び成長部分を有する曲線を表すデータポイントセットを受信し；
前記プロセッサが、当該データセットの少なくとも一部分の導関数を求めることで１又は複数のピークオブジェクトのセットを生成させ、ここで、各ピークオブジェクトは当該導関数の極大に関連する高さを有しており、当該ピークオブジェクトは前記データセットの順序に相当する順序で生じる；
前記プロセッサが、前記順序で、閾値超の値を有する第一ピークオブジェクトを同定し；そして
前記プロセッサが、第一ピークオブジェクトの始点からベースライン部分の終点を推定すること、
を含んで成る方法。
【請求項２】
第一ピークオブジェクトの値が第一ピークオブジェクトの高さである、請求項１に記載の方法。
【請求項３】
閾値が１又は複数のピークオブジェクトの値から決定される、請求項１に記載の方法。
【請求項４】
閾値が、ピークオブジェクトセットの最小及び最大の高さの平均値である、請求項３に記載の方法。
【請求項５】
前記導関数を求める前に、前記プロセッサが、前記データセットをフィルターにかけて統計的に線形のデータを除去すること、を更に含んで成る、請求項１に記載の方法。
【請求項６】
前記導関数を求める前に、前記プロセッサが、前記データセットをフィルターにかけて、下降曲線のデータ、又は増幅を示さないデータを除去すること、を更に含んで成る、請求項１に記載の方法。
【請求項７】
前記プロセッサが、閾値未満の値を有するピークオブジェクトを同定し、そしてピークオブジェクトセットから除去することを更に含んで成る、請求項１に記載の方法。
【請求項８】
第一ピークオブジェクトが、成長部分の始点についての下界を同定する、請求項７に記載の方法。
【請求項９】
前記プロセッサが、成長部分に対して推定されたベースライン部分由来のデータポイントを解析して、前記データポイントが線形性を満たすか否かを決定することにより、ベースライン部分の終点についての推定値を絞り込むことを更に含んで成る、請求項８に記載の方法。
【請求項１０】
第一ピークオブジェクト内のあるポイントの前後のデータポイントの値を比較して、後のピークオブジェクトが、ベースライン部分の終点に対しのより優れた推定値であるか否かを決定することにより、ベースライン部分の終点についての推定値を絞り込むことを更に含んで成る、請求項８に記載の方法。
【請求項１１】
第一ピークオブジェクト内のポイントの前にあるデータポイントの値の平均値が、データポイントの少なくとも１つの平均値と比較される、請求項１０に記載の方法。
【請求項１２】
情報処理装置に指示して、増幅曲線を表すデータセットを処理するオペレーションを実施させるのに適合した多数のインストラクションを有する情報記憶媒体であって、前記オペレーションが：
ベースライン部分及び成長部分を有する曲線を表すデータポイントセットを受信するステップ；
前記データセットの少なくとも一部分の導関数を求めることにより１又は複数のピークオブジェクトセット生成させるステップ、ここで各ピークオブジェクトは、当該導関数の極大に関連する高さを有し、前記ピークオブジェクトは、前記データセットの順序に相当する順序で生じる；
前記順序で、閾値超の値を有するピークオブジェクトを同定するステップ；及び
第一ピークオブジェクトの始点からベースライン部分の終点を推定するステップ、
を含んで成る、情報記憶媒体。
【請求項１３】
ＰＣＲ検出システムであって：
ベースライン部分及び成長部分を有する曲線を表すデータポイントセットを生成するための検出器；及び
データセットの少なくとも一部分の導関数を求めること、ここで、各ピークオブジェクトが導関数の極大に関連する高さを有し、当該ピークオブジェクトは前記データセットの順序に相当する順序で生じる；
前記順序で、閾値超の値を有するピークオブジェクトを同定すること；及び
第一ピークオブジェクトの始点からベースライン部分の終点を推定すること、
により、増幅曲線を表すデータセットを処理してベースライン部分の終点を推定するためのロジック、
を含んで成るＰＣＲ検出システム。
【手続補正書】
【提出日】平成21年6月22日(2009.6.22)
【手続補正１】
【補正対象書類名】特許請求の範囲
【補正対象項目名】全文
【補正方法】変更
【補正の内容】
【特許請求の範囲】
【請求項１】
少なくとも１つのユーザアプリケーションによって提供されたデータを運搬する少なくとも１つのトラフィック・チャネルと、シグナリングメッセージを運搬する少なくとも１つのアクセス・チャネルとをサポートするシステムにおける通信方法であって、
前記少なくとも１つのアクセス・チャネルの少なくとも１つのチャネル条件に基づいて、データ伝送速度を選択する工程と、
選択された前記データ伝送速度がしきい値データ伝送速度を超えるときには、前記少なくとも１つのトラフィック・チャネルを介してデータを送信することに代えて、前記少なくとも１つのアクセス・チャネルを介してデータを送信する工程とを含み、前記データの一部は前記ユーザアプリケーションによって提供されることを特徴とする方法。
【請求項２】
前記選択されたデータ伝送速度がしきい値データ伝送速度よりも遅いときには、送信すべきデータ量を少なくとも１つのしきい値データ量と比較する工程を含むことを特徴とする請求項１に記載の方法。
【請求項３】
前記送信すべきデータ量が前記少なくとも１つのしきい値データ量よりも小さく且つ前記選択されたデータ伝送速度が前記しきい値データ伝送速度よりも遅いときには、前記少なくとも１つのトラフィック・チャネルを介して前記ユーザアプリケーションによって提供されたデータを送信することに代えて、前記少なくとも１つのアクセス・チャネルを介して前記データを送信することを特徴とする請求項２に記載の方法。
【請求項４】
前記送信すべきデータ量が前記少なくとも１つのしきい値データ量よりも大きく且つ前記選択されたデータ伝送速度が前記しきい値データ伝送速度よりも遅いときには、前記少なくとも１つのトラフィック・チャネルを介して前記ユーザアプリケーションによって提供されたデータを送信することを特徴とする請求項３に記載の方法。
【請求項５】
少なくとも２つのデータメッセージを多重化することによって、前記データの一部を形成する工程を含むことを特徴とする請求項１に記載の方法。
【請求項６】
前記少なくとも２つのデータメッセージの多重化は、接続要求メッセージとデータメッセージとの多重化を含むことを特徴とする請求項５に記載の方法。
【請求項７】
少なくとも１つのチャネル状態に基づいて決定された少なくとも１つのパラメータを受信する工程を含み、前記少なくとも１つのパラメータはしきい値データ伝送速度または前記少なくとも１つのしきい値データ量を含むことを特徴とする請求項１に記載の方法。
【請求項８】
前記少なくとも１つのパラメータを受信する工程は、少なくとも１つの出力可用度に基づいて決定された少なくとも１つのパラメータを受信する工程を含むことを特徴とする請求項７に記載の方法。
【請求項９】
前記少なくとも１つのパラメータを受信する工程は、第１及び第２のパラメータを受信する工程を含み、前記第１のパラメータは比較的良いチャネル状態に関連付けられ、そして、前記第２のパラメータは比較的悪いチャネル状態に関連付けられることを特徴とする請求項７に記載の方法。
【請求項１０】
前記少なくとも１つのパラメータを受信する工程は、フレーム数を示す少なくとも１つのパラメータを受信することを特徴とする請求項７に記載の方法。
【手続補正書】
【提出日】平成20年12月3日(2008.12.3)
【手続補正１】
【補正対象書類名】明細書
【補正対象項目名】０００７
【補正方法】変更
【補正の内容】
【０００７】
この全ての範囲を対象とする先行技術の例は、また、
１．  Ｔ．Ｑ．Ｈｏ、Ｊ．Ｃ．Ｌｏｇａｎ、Ｊ．Ｗ．Ｒｏｃｗａｙ、“周波数選択性表面集積アンテナシステム（Ｆｒｅｑｕｅｎｃｙ  Ｓｅｌｅｃｔｉｖｅ  Ｓｕｒｆａｃｅ  Ｉｎｔｅｇｒａｔｅｄ  Ａｎｔｅｎｎａ  Ｓｙｓｔｅｍ）”、米国特許５，９１７，４５８、１９９５年９月８日と、
２．  Ａ．Ｅ．Ｆａｔｈｙ、Ａ．Ｒｏｓｅｎ、Ｈ．Ｓ．Ｏｗｅｎ、Ｆ．ＭｃＧｉｎｔｙ、Ｄ．Ｊ．ＭｃＧｅｅ、Ｇ．Ｃ．Ｔａｙｌｏｒ、Ｒ．Ａｍａｎｔｅａ、Ｐ．Ｋ．Ｓｗａｉｎ、Ｓ．Ｍ．Ｐｅｒｌｏｗ、Ｍ．ＥｌＳｈｅｒｂｉｎｙ、“シリコンベースの再構成可能なアンテナ−コンセプト、分析、実施及び実現可能性（Ｓｉｌｉｃｏｎ−Ｂａｓｅｄ  Ｒｅｃｏｎｆｉｇｕｒａｂｌｅ  Ａｎｔｅｎｎａ−Ｃｏｎｃｅｐｔｓ、Ａｎａｌｙｓｉｓ、Ｉｍｐｌｅｍｅｎｔａｔｉｏｎ  ａｎｄ  Ｆｅａｓｉｂｉｌｉｔｙ）”、ＩＥＥＥ  Ｔｒａｎｓａｃｔｉｏｓ  ｏｎ  Ｍｉｃｒｏｗａｖｅ  Ｔｈｅｏｒｙ  ａｎｄＴｅｃｈｎｉｑｕｅｓ、ｖｏｌ．５１、ｎｏ．６、１６５０頁〜１６６１頁、２００３年６月とを含む。
【特許文献１】  米国特許第５，９１７，４５８号明細書
【特許文献２】  米国特許第６，２０８，３１６号明細書
【特許文献３】  米国特許第６，４８３，４８１号明細書
【特許文献４】  米国特許第６，５１８，９３１号明細書
【特許文献５】  米国特許公開第２００６／０１５２４３０号明細書
（発明の開示）
【発明を実施するための最良の形態】
【手続補正書】
【提出日】平成21年6月22日(2009.6.22)
【手続補正１】
【補正対象書類名】特許請求の範囲
【補正対象項目名】全文
【補正方法】変更
【補正の内容】
【特許請求の範囲】
【請求項１】
第１のアクセス・サービス・ネットワークとの第１のペアワイズ・マスタ・キーで表されるセキュリティ・アソシエーションを有する少なくとも１つの第１の基地局を含み、前記第１のアクセス・サービス・ネットワークは認証サーバとのセキュリティ・アソシエーションを有し、さらに、前記認証サーバとのセキュリティ・アソシエーションを有していない第２のアクセス・サービス・ネットワークに関連付けられた少なくとも１つの第２の基地局を含む無線通信の方法であって、前記方法は移動ユニットで実行され、前記方法は、
第１の鍵を前記第１のペアワイズ・マスタ・キーを用いて前記移動ユニットで生成する工程を含み、前記第１の鍵のコピーが、前記ペアワイズ・マスタ・キーを用いて前記第１のアクセス・サービス・ネットワークによって生成され、そして前記第２のアクセス・サービス・ネットワークへ送信されるものであり、さらに、
前記第１の鍵が一時的であることを示す情報を受け取る工程と、
前記第１の鍵を使用して、前記第２の基地局との一時的なセキュリティ・アソシエーションを確立する工程とを含むことを特徴とする方法。
【請求項２】
前記第１の鍵を生成する工程は、前記第１のペアワイズ・マスタ・キーと前記第２の基地局に関連付けられた識別子とを使用して、前記第１の鍵を生成する工程を含むことを特徴とする請求項１に記載の方法。
【請求項３】
前記第１の鍵が一時的であることを示す情報を受け取る工程は、前記第１の鍵が前記第１のペアワイズ・マスタ・キーを用いて生成されたことを示す情報を受け取る工程を含むことを特徴とする請求項２に記載の方法。
【請求項４】
前記第１の鍵が一時的であることを示す情報を受け取る工程は、第２のペアワイズ・マスタ・キーが前記第２のアクセス・サービス・ネットワークによって生成されたことを示す情報を受け取る工程を含むことを特徴とする請求項３に記載の方法。
【請求項５】
前記第２のペアワイズ・マスタ・キーについて前記第２のアクセス・サービス・ネットワークとネゴシエートする工程を含むことを特徴とする請求項４に記載の方法。
【請求項６】
前記第２のペアワイズ・マスタ・キーについてネゴシエートする工程は、前記第１の鍵が一時的であることを示す情報の受け取りに応答して、前記第２のペアワイズ・マスタ・キーについてネゴシエートする工程を含むことを特徴とする請求項５に記載の方法。
【請求項７】
前記第２のペアワイズ・マスタ・キーについてネゴシエートする工程は、
前記第２の基地局との通信リンクに関連付けられたチャネル状態を決定する工程と、
前記チャネル状態が相互認証を行うのに十分信頼できると決定されたときに、前記第２のペアワイズ・マスタ・キーについてネゴシエートする工程とを含むことを特徴とする請求項５に記載の方法。
【請求項８】
前記第２の基地局から暗号化されたデータ受け取る工程を含み、前記暗号化されたデータが前記第１の基地局によって前記第２の基地局へ提供され、前記暗号化されたデータは、前記第１の鍵から導出された少なくとも１つの暗号化鍵を用いて暗号化されていることを特徴とする請求項１に記載の方法。
【請求項９】
移動ユニットと、第１のアクセス・サービス・ネットワークとの第１のペアワイズ・マスタ・キーで表されるセキュリティ・アソシエーションを有する少なくとも１つの第１の基地局とを含み、前記第１のアクセス・サービス・ネットワークは認証サーバとのセキュリティ・アソシエーションを有し、さらに、前記認証サーバとのセキュリティ・アソシエーションを有していない第２のアクセス・サービス・ネットワークに関連付けられた少なくとも１つの第２の基地局を含む無線通信の方法であって、前記方法は前記第１のアクセス・サービス・ネットワークで実行され、前記方法は、
前記第１のペアワイズ・マスタ・キーを用いて第１の鍵を生成する工程を含み、前記第１の鍵のコピーが、前記第１のペアワイズ・マスタ・キーを用いて前記移動ユニットによって生成され、さらに、
前記第１の鍵を示す情報を前記第２のアクセス・サービス・ネットワークへ提供する工程と、
前記第１の鍵が一時的であることを示す情報を前記第２のアクセス・サービス・ネットワークへ提供する工程とを含むことを特徴とする方法。
【請求項１０】
前記第１のアクセス・サービス・ネットワークに関連付けられた前記第１のペアワイズマスタ・キーと前記第２の基地局に関連付けられた識別子とを使用して、前記第１の鍵を生成する工程を含むことを特徴とする請求項９に記載の方法。
【手続補正書】
【提出日】平成21年6月11日(2009.6.11)
【手続補正１】
【補正対象書類名】特許請求の範囲
【補正対象項目名】全文
【補正方法】変更
【補正の内容】
【特許請求の範囲】
【請求項１】
永久磁石（１０）を含む電気モータのためのロータであって、
主軸（Ｄ）、
第１及び第２の末端壁（４、５）及び側面（６）によって囲まれた積層鉄心（２）、
モータ軸（８）に連結するための穴（７）、及び、
前記磁石（１０）を収納するための複数の縦スロット（９）を有し、
前記ロータは、前記スロット（９）内に前記磁石（１０）を固定するための位置決め装置（２０）をさらに有することを特徴とするロータ。
【請求項２】
前記位置決め装置（２０）は、前記鉄心（２）と前記磁石（１０）との間に弾性固定手段（１７）を有することを特徴とする請求項１に記載のロータ。
【請求項３】
前記弾性固定手段（１７）は、前記各磁石（１０）とそれぞれのスロット（９）との間に位置決めされる少なくとも１つの弾性要素（１８）を有することを特徴とする請求項２に記載のロータ。
【請求項４】
前記弾性要素（１８）は、前記主軸（Ｄ）に対して半径方向に動作することを特徴とする請求項３に記載のロータ。
【請求項５】
前記鉄心（２）は、各弾性要素（１８）のための溝（１９）を有することを特徴とする請求項３又は４に記載のロータ。
【請求項６】
前記溝（１９）は、前記第１及び第２の末端壁（４、５）の間に伸び、特に、前記主軸（Ｄ）に平行であることを特徴とする請求項５に記載のロータ。
【請求項７】
前記弾性要素（１８）は、屈曲のスプリングから構成されることを特徴とする請求項３〜６のいずれか一項に記載のロータ。
【請求項８】
前記位置決め装置（２０）は、前記スロット（９）内の前記磁石（１０）を導くために、前記各スロット（９）の中にリブ（１６）を有することを特徴とする請求項１〜７のいずれか一項に記載のロータ。
【請求項９】
前記リブ（１６）は、約０．１〜０．５ｍｍの間の長さの半径（Ｒ）の円形を有することを特徴とする請求項８に記載のロータ。
【請求項１０】
前記半径（Ｒ）は、約０．２ｍｍの長さであることを特徴とする請求項９に記載のロータ。
【請求項１１】
前記第１及び第２の末端壁（４、５）の間に伸び、且つ、特に前記主軸（Ｄ）に平行であるバランス穴（２１）を有することを特徴とする請求項１〜１０のいずれか一項に記載のロータ。
【請求項１２】
前記穴（２１）の内部に配置されたバランス重し（２２）を有することを特徴とする請求項１１に記載のロータ。
【請求項１３】
前記側面（６）は、前記縦スロット（９）の１つに各々が位置決めされた複数の接続弧（１１）によって規定され、
前記弧（１１）は、前記軸（Ｄ）から均等距離（Ｒ１）に配置された頂点（１２）、及び、前記穴（７）の境界（２４）内部に配置された中心を有し、かつ、
前記ロータは、特に４極ロータであることを特徴とする請求項１〜１２のいずれか一項に記載のロータ。
【請求項１４】
永久磁石（１０）を含む電気モータのためのロータであって、
主軸（Ｄ）、
第１及び第２の末端壁（４、５）及び側面（６）によって囲まれた積層鉄心（２）、
モータ軸（８）に連結するための穴（７）、及び、
前記磁石（１０）を収納するための複数の縦スロット（９）を有し、
前記側面（６）は、それぞれの頂点が前記軸（Ｄ）から等距離にあり且つ各頂点がそれぞれのスロット（９）にある複数の接続した弧（１１）によって規定され、
前記ロータは、前記弧（１１）の中心が前記穴（７）の境界（２４）内部に位置決めされており、
前記ロータは、特に４極ロータであることを特徴とするロータ。
【請求項１５】
前記弧（１１）は、約５５°〜６５°の角度（Ｈ）の範囲を定めることを特徴とする請求項１４に記載のロータ。
【請求項１６】
前記弧（１１）は、約６０°の角度（Ｈ）の範囲を定めることを特徴とする請求項１５に記載のロータ。
【請求項１７】
前記弧（１１）は、長さ約１２〜１５ｍｍの間の半径（Ｒ３）を有し、
前記磁石（１０）は、約３０〜５０ｍｍの長さ（Ｌ１）、約１４〜１６ｍｍの幅（Ｌ２）、約２．５〜３．５ｍｍの高さ（Ｌ３）であることを特徴とする請求項１４〜１６のいずれか一項に記載のロータ。
【請求項１８】
前記弧（１１）は、長さ約１３．１ｍｍの半径（Ｒ３）を有し、
前記磁石（１０）は、具体的には、約４０ｍｍの長さ（Ｌ１）、約１５．４ｍｍの幅（Ｌ２）、及び約３ｍｍの高さ（Ｌ３）であることを特徴とする請求項１７に記載のロータ。
【請求項１９】
前記弧（１１）は、約５５°〜６５°の角度（Ｈ）の範囲を定めることを特徴とする請求項１４〜１８のいずれか一項に記載のロータ。
【請求項２０】
前記弧（１１）は、約６０°の角度（Ｈ）の範囲を定めることを特徴とする請求項１９に記載のロータ。
【請求項２１】
前記側面（６）は、前記主軸（Ｄ）から均等距離（Ｒ１）に配置されたそれぞれの頂点（１２）、及び、前記主軸（Ｄ）から均等距離（Ｒ２）の中心を有する複数の接続された弧（１１）によって規定され、
前記距離（Ｒ２）は、前記距離（Ｒ１）の約１／３に等しく、
前記ロータは、特に８極ロータであり、
前記磁石（１０）は、前記弧（１１）に位置決めされることを特徴とする請求項１〜１２のいずれか一項に記載のロータ。
【請求項２２】
前記弧（１１）は、約２５°〜３５°の角度（Ｈ）の範囲を定めることを特徴とする請求項２１に記載のロータ。
【請求項２３】
前記弧（１１）は、約３０°の角度（Ｈ）の範囲を定めることを特徴とする請求項２２に記載のロータ。
【請求項２４】
前記側面（６）は、前記主軸（Ｄ）から均等距離（Ｒ１）に配置されたそれぞれの頂点（１２）、及び、前記主軸（Ｄ）から均等距離（Ｒ２）の中心を有する複数の接続された弧（１１）によって規定され、
前記距離（Ｒ２）は、前記距離（Ｒ１）の約半分に等しく、
前記ロータは、特に８極ロータであり、
前記磁石（１０）は、前記弧（１１）に位置決めされることを特徴とする請求項１〜１２のいずれか一項に記載のロータ。
【請求項２５】
前記磁石（１０）は、前記それぞれのスロットの中で並んで収容される複数の部分（１０ａ、１０ｂ、１０ｃ、１０ｄ）から構成されることを特徴とする請求項１〜２４のいずれか一項に記載のロータ。
【請求項２６】
前記磁石（１０）の各々は、規定の重量を有することを特徴とする請求項１〜２５のいずれか一項に記載のロータ。
【請求項２７】
前記第１及び第２の末端壁（４、５）は、互いに平行であり、
前記積層鉄心（２）は、前記主軸（Ｄ）について互いに対して少なくとも部分的に回転している複数の積層（３）を有することを特徴とする請求項１〜２６のいずれか一項に記載のロータ。